(57)【要約】【課題】インクリボンのインク抜け部分から印字された像が特定されるのを防ぐことができるインクリボンカセットを提供する。【解決手段】インクリボンカセット２０は、基材層３５とインク層３６とを有するインクリボン３０と、インクリボン３０を送り出す送出部２３と、インクリボン３０を巻き取る巻取部２４と、巻取部２４の近傍に設けられ、インクリボン３０に接着されるテープ４２を供給するテープ供給部４１と、備えている。テープ４２は、テープ基材５２と、テープ基材５２のうちインクリボン３０のインク層３６に接する側に設けられた接着層５３とを有している。このうちテープ基材５２は、インク層３６と同一の色からなるとともに、所定の幾何学パターンを有している。一方、接着層５３は、透明な接着材料から形成されている。【選択図】図１
2011183598.tif 000002
【特許請求の範囲】
【請求項１】
基材層とインク層とを有するインクリボンと、
前記インクリボンを送り出す送出部と、
前記インクリボンを巻き取る巻取部と、
前記巻取部の近傍に設けられ、前記インクリボンのインク層側に接着されるテープを供給するテープ供給部と、を備え、
前記テープは、テープ基材と、当該テープ基材のうち前記インクリボンのインク層に接する側に設けられた接着層とを有し、
前記テープ基材は、前記インクリボンのインク層と同一の色からなるとともに、所定の幾何学パターンを有し、
前記接着層は、透明な接着材料から形成されることを特徴とするインクリボンカセット。
【請求項２】
前記テープのテープ基材に、所定パターンで配置された複数の開口部が設けられていることを特徴とする請求項１に記載のインクリボンカセット。
【請求項３】
基材層とインク層とを有するインクリボンと、
前記インクリボンを送り出す送出部と、
前記インクリボンを巻き取る巻取部と、
前記巻取部の近傍に設けられ、インクリボンのインク層側に接着されるテープを供給するテープ供給部と、を備え、
前記テープは、テープ基材と、当該テープ基材のうち前記インクリボンのインク層に接する側に設けられた接着層とを有し、
前記接着層は、前記インクリボンのインク層と同一の色からなるとともに、所定の幾何学パターンを有することを特徴とするインクリボンカセット。
【請求項４】
前記テープの接着層に、所定パターンで配置された複数の開口部が設けられていることを特徴とする請求項３に記載のインクリボンカセット。
【請求項５】
基材層とインク層とを有するインクリボンと、
前記インクリボンを送り出す送出部と、
前記インクリボンを巻き取る巻取部と、
前記巻取部の近傍に設けられ、インクリボンのインク層側に接着されるテープを供給するテープ供給部と、を備え、
前記テープは、テープ基材と、当該テープ基材の両側に設けられた接着層とを有し、
前記接着層のうち前記インクリボンのインク層に接する側の接着層は、所定の幾何学パターンを有することを特徴とするインクリボンカセット。
【請求項６】
前記接着層のうち前記インクリボンのインク層に接する側の接着層に、所定パターンで配置された複数の開口部が設けられていることを特徴とする請求項５に記載のインクリボンカセット。
【請求項７】
基材層とインク層とを有するインクリボンと、
前記インクリボンを送り出す送出部と、
前記インクリボンを巻き取る巻取部と、
前記巻取部の近傍に設けられ、インクリボンのインク層側に接着されるテープを供給するテープ供給部と、を備え、
前記テープは、テープ基材と、当該テープ基材のうち前記インクリボンのインク層に接する側に設けられた接着層とを有し、
前記テープ基材は、光を遮蔽する遮光層を含み、
前記接着層は、前記インクリボンのインク層と同一の色からなることを特徴とするインクリボンカセット。
【請求項８】
前記インクリボンのインク層と前記テープとの間の密着力が、前記インクリボンのインク層と基材層との間の密着力よりも大きくなるよう、前記テープの接着層が構成されていることを特徴とする請求項１乃至７のいずれかに記載のインクリボンカセット。
【発明の詳細な説明】
【技術分野】
【０００１】
本発明は、基材層とインク層とを有するインクリボンと、インクリボンを送り出す送出部と、インクリボンを巻き取る巻取部とを備えたインクリボンカセットに関する。
【背景技術】
【０００２】
インクリボンを用いて、カードなどの被印字体に文字などの像を印字する印字装置が、広く普及している。インクリボンは、帯状に延びるリボン（基材層）と、リボン上に形成され、染料等を含んだインク層と、を有している。インクリボンを用いた印字においては、印字されるべき所望の像に対応したパターンで、インクが受像体に転移される。この場合、インク転移済みのインクリボンには、受像体への転移によりインクが抜けた部分が、印字された像に対応したパターンで存在している。このため、インク転移済みのインクリボンから、印字された像を特定することが可能である。従って、インクリボンを用いて、被印字体にＩＤ情報などの秘匿すべき情報を印字する場合、インク転移済みのインクリボンの取り扱いに注意が必要となる。
【０００３】
このような問題に対応するため、例えば特許文献１において、基材層のうちインク層が形成されていない部分に感熱接着剤が塗布されたインクリボンを備えるとともに、インク転移済みのインクリボンを加熱する加熱ローラーが設けられたインクリボンカセットが提案されている。特許文献１に記載のインクリボンカセットにおいては、インク転移済みのインクリボンが巻取部により巻き取られる前に、上記の感熱接着剤が加熱ローラーにより加熱され、これによって感熱接着剤が活性化される。このため、インク転移済みのインクリボンが巻取部により巻き取られる際、感熱接着剤により、新たに巻き取られるインクリボンが、既に巻き取られている内側のインクリボンに接着される。これによって、感熱接着剤により固められたインクリボンの巻回体が形成される。特許文献１に記載のインクリボンカセットにおいては、このようにして、インク転移済みのインクリボンのインク抜け部分が外部から視認されるのが防がれている。
【先行技術文献】
【特許文献】
【０００４】
【特許文献１】特開平７−１５６４８９
【発明の概要】
【発明が解決しようとする課題】
【０００５】
特許文献１に記載のインクリボンカセットにおいては、インクリボンの基材層のうちインク層が形成されていない部分に感熱接着剤が塗布されている。このため、インクリボンの巻回体が半径方向に切断され、これによって感熱接着剤が塗布されている部分が取り除かれた場合、インク層のインク抜け部分が巻回体から取り出され得ると考えられる。この場合、インク層のインク抜け部分は、印字された像に対応したパターンのままで残っており、このため、インクリボンのインク抜け部分から、印字された像が特定されてしまうと考えられる。
【０００６】
本発明は、このような課題を効果的に解決し得るインクリボンカセットを提供することを目的とする。
【課題を解決するための手段】
【０００７】
本発明による第１のインクリボンカセットは、基材層とインク層とを有するインクリボンと、前記インクリボンを送り出す送出部と、前記インクリボンを巻き取る巻取部と、前記巻取部の近傍に設けられ、前記インクリボンのインク層側に接着されるテープを供給するテープ供給部と、を備え、前記テープは、テープ基材と、当該テープ基材のうち前記インクリボンのインク層に接する側に設けられた接着層とを有し、前記テープ基材は、前記インクリボンのインク層と同一の色からなるとともに、所定の幾何学パターンを有し、前記接着層は、透明な接着材料から形成されることを特徴とするインクリボンカセットである。
【０００８】
本発明による第１のインクリボンカセットにおいて、前記テープのテープ基材に、所定パターンで配置された複数の開口部が設けられていてもよい。
【０００９】
本発明による第２のインクリボンカセットは、基材層とインク層とを有するインクリボンと、前記インクリボンを送り出す送出部と、前記インクリボンを巻き取る巻取部と、前記巻取部の近傍に設けられ、インクリボンのインク層側に接着されるテープを供給するテープ供給部と、を備え、前記テープは、テープ基材と、当該テープ基材のうち前記インクリボンのインク層に接する側に設けられた接着層とを有し、前記接着層は、前記インクリボンのインク層と同一の色からなるとともに、所定の幾何学パターンを有することを特徴とするインクリボンカセットである。
【００１０】
本発明による第２のインクリボンカセットにおいて、前記テープの接着層に、所定パターンで配置された複数の開口部が設けられていてもよい。
【００１１】
本発明による第３のインクリボンカセットは、基材層とインク層とを有するインクリボンと、前記インクリボンを送り出す送出部と、前記インクリボンを巻き取る巻取部と、前記巻取部の近傍に設けられ、インクリボンのインク層側に接着されるテープを供給するテープ供給部と、を備え、前記テープは、テープ基材と、当該テープ基材の両側に設けられた接着層とを有し、前記接着層のうち前記インクリボンのインク層に接する側の接着層は、所定の幾何学パターンを有することを特徴とするインクリボンカセットである。
【００１２】
本発明による第３のインクリボンカセットにおいて、前記接着層のうち前記インクリボンのインク層に接する側の接着層に、所定パターンで配置された複数の開口部が設けられていてもよい。
【００１３】
本発明による第４のインクリボンカセットは、基材層とインク層とを有するインクリボンと、前記インクリボンを送り出す送出部と、前記インクリボンを巻き取る巻取部と、前記巻取部の近傍に設けられ、インクリボンのインク層側に接着されるテープを供給するテープ供給部と、を備え、前記テープは、テープ基材と、当該テープ基材のうち前記インクリボンのインク層に接する側に設けられた接着層とを有し、前記テープ基材は、光を遮蔽する遮光層を含み、前記接着層は、前記インクリボンのインク層と同一の色からなることを特徴とするインクリボンカセットである。
【００１４】
本発明による第１乃至第４のインクリボンカセットにおいて、好ましくは、前記インクリボンのインク層と前記テープとの間の密着力が、前記インクリボンのインク層と基材層との間の密着力よりも大きくなるよう、前記テープの接着層が構成されている。
【発明の効果】
【００１５】
本発明の第１のインクリボンカセットによれば、インクリボンのインク層側に接着されるテープは、テープ基材と、当該テープ基材のうち前記インクリボンのインク層に接する側に設けられた接着層とを有している。このうちテープ基材は、インクリボンのインク層と同一の色からなるとともに、所定の幾何学パターンを有し、また接着層は、透明な接着材料から形成されている。このため、インク転移済みのインクリボンを観察した場合、インク層のインク抜け部分のうちテープのテープ基材と重なっている領域が、インク層のインク残留部分と同一の色を有する領域として視認される。このため、インク層のインク抜け部分のうちテープのテープ基材と重なっている領域と、インク層のインク残留部分とを区別することができない。このことにより、インクリボンのインク抜け部分から、印字された像が特定されるのを防ぐことができる。
【００１６】
本発明の第２のインクリボンカセットによれば、インクリボンのインク層側に接着されるテープは、テープ基材と、当該テープ基材のうち前記インクリボンのインク層に接する側に設けられた接着層とを有している。このうち接着層は、インクリボンのインク層と同一の色からなるとともに、所定の幾何学パターンを有している。このため、インク転移済みのインクリボンを観察した場合、インク層のインク抜け部分のうちテープの接着層と重なっている領域が、インク層のインク残留部分と同一の色を有する領域として視認される。このため、インク層のインク抜け部分のうちテープの接着層と重なっている領域と、インク層のインク残留部分とを区別することができない。このことにより、インクリボンのインク抜け部分から、印字された像が特定されるのを防ぐことができる。
【００１７】
本発明の第３のインクリボンカセットによれば、インクリボンのインク層側に接着されるテープは、テープ基材と、当該テープ基材の両側に設けられた接着層とを有している。このため、インク転移済みのインクリボンが巻取部により巻き取られる際、テープ基材の両側に設けられた接着層により、新たに巻き取られるインクリボンが、既に巻き取られている内側のインクリボンに接着される。これによって、テープの接着層により固められたインクリボンの巻回体が形成される。また本発明によれば、テープの接着層のうちインクリボンのインク層に接する側の接着層は、所定の幾何学パターンを有している。このため、テープにより固められたインクリボンの巻回体が分解された場合であっても、分解に伴って、インク層のインク抜け部分のパターンが、接着層の幾何学パターンに応じて破壊される。このことにより、インクリボンのインク抜け部分から、印字された像が特定されるのを防ぐことができる。
【００１８】
本発明の第４のインクリボンカセットによれば、インクリボンのインク層側に接着されるテープは、テープ基材と、当該テープ基材のうち前記インクリボンのインク層に接する側に設けられた接着層とを有している。このうちテープ基材は、光を遮蔽する遮光層を含み、また接着層は、インクリボンのインク層と同一の色からなっている。このため、インク転移済みのインクリボンを観察した場合、インク層のインク抜け部分が、インク層のインク残留部分と同一の色を有する部分として視認される。このため、インク層のインク抜け部分と、インク層のインク残留部分とを区別することができない。このことにより、インクリボンのインク抜け部分から、印字された像が特定されるのを防ぐことができる。
【図面の簡単な説明】
【００１９】
【図１】図１は、本発明の第１の実施の形態におけるインクカセットを示す図。
【図２】図２（ａ）は、図１に示すインクカセットの巻取部を拡大して示す図、図２（ｂ）は、巻取部においてインクリボンにテープが接着される様子を示す図。
【図３】図３（ａ）は、本発明の第１の実施の形態におけるテープを示す断面図、図３（ｂ）は、本発明の第１の実施の形態におけるテープを示す斜視図。
【図４】図４（ａ）は、本発明の第１の実施の形態において、テープが接着されたインクリボンを示す平面図、図４（ｂ）は、図４（ａ）に示すテープが接着されたインクリボンのIV−IV線に沿った断面図、図４（ｃ）は、図４（ｂ）に示すテープが接着されたインクリボンからインクリボンの基材層を剥離した場合を示す断面図。
【図５】図５（ａ）は、比較の形態において、テープが接着されたインクリボンを示す平面図、図５（ｂ）は、図５（ａ）に示すテープが接着されたインクリボンのV−V線に沿った断面図、図５（ｃ）は、図５（ｂ）に示すテープが接着されたインクリボンからインクリボンの基材層を剥離した場合を示す断面図。
【図６】図６（ａ）は、本発明の第２の実施の形態におけるテープを示す断面図、図６（ｂ）は、本発明の第２の実施の形態におけるテープを示す斜視図。
【図７】図７（ａ）は、本発明の第２の実施の形態において、テープが接着されたインクリボンを示す平面図、図７（ｂ）は、図７（ａ）に示すテープが接着されたインクリボンのVII−VII線に沿った断面図。
【図８】図８（ａ）は、本発明の第２の実施の形態において、インクリボンから剥離されたテープを示す断面図、図８（ｂ）は、テープから剥離されたインクリボンを示す断面図、図８（ｃ）は、テープから剥離されたインクリボンを示す平面図。
【図９】図９（ａ）は、本発明の第３の実施の形態におけるテープを示す断面図、図９（ｂ）は、本発明の第３の実施の形態におけるテープを示す斜視図。
【図１０】図１０（ａ）は、本発明の第３の実施の形態において、テープが接着されたインクリボンを示す断面図、図１０（ｂ）は、テープから剥離されたインクリボンを示す断面図、図１０（ｃ）は、テープから剥離されたインクリボンを示す平面図。
【図１１】図１１は、本発明の第４の実施の形態におけるテープを示す断面図。
【図１２】図１２（ａ）は、本発明の第４の実施の形態において、テープが接着されたインクリボンを示す平面図、図１２（ｂ）は、図１２（ａ）に示すテープが接着されたインクリボンのXII−XII線に沿った断面図、図１２（ｃ）は、図１２（ｂ）に示すテープが接着されたインクリボンからインクリボンの基材層を剥離した場合を示す断面図。
【発明を実施するための形態】
【００２０】
第１の実施の形態
以下、図１乃至図４を参照して、本発明の第１の実施の形態について説明する。はじめに図１を参照して、インクリボンカセット２０全体について説明する。
【００２１】
インクリボンカセット
図１に示すように、所定の印字装置（図示せず）に組み込まれて用いられるインクリボンカセット２０は、組み込まれる印字装置の型式に対応して構成されたインクリボン、例えばテープ状のインクリボン３０と、矢印Ｒ１で示す方向にインクリボン３０を送り出す送出部２３と、矢印Ｒ２で示す方向にインクリボン３０を巻き取る巻取部２４と、送出部２３と巻取部２４との間に設けられ、インクリボン３０の送り出し経路を画定するガイドロール２５ａ，２５ｂと、を備えている。インクリボン３０は、後述するように、基材層と、基材層上にインクを塗布することにより形成されたインク層と、を有している。
図１に示すように、インクリボン３０は、ガイドロール２５ａ，２５ｂに誘導されて、印字装置の印字部１２を通過する。
【００２２】
図１に示すように、印字装置の印字部１２は、印字ヘッド１３と、カード１５を挟んで印字ヘッド１３と対向するよう設けられ、カード１５を支持するプラテンロール１４と、を有している。このうち印字ヘッド１３は、いわゆる熱転写型の印字ヘッドである。この印字ヘッド１３により、インクリボン３０のインク層のインクがＩＤ情報に対応する所定のパターンで加熱され、これによって、ＩＤ情報に対応する所定のパターンで溶けたインクがカード１５上に転移される。このようにして、カード１５上にＩＤ情報が印字されるとともに、インクリボン３０のインク層に、ＩＤ情報に対応したインク抜け部分が形成される。
【００２３】
ＩＤ情報に対応したインク抜け部分が形成されたインクリボン３０は、巻取部２４により巻き取られる。ここで、図１に示すように、インクリボンカセット２０は、巻取部２４の近傍に設けられ、インクリボン３０に接着されるテープ４２を供給するテープ供給部４１をさらに備えている。以下、図２（ａ）（ｂ）を参照して、インクリボン３０およびテープ４２について詳述する。
【００２４】
図２（ａ）は、図１に示すインクカセット２０の巻取部２４近傍を拡大して示す図であり、図２（ｂ）は、巻取部２４においてインクリボン３０にテープ４２が接着される様子を示す図である。なお図２（ａ）に示すように、インクリボン３０にテープ４２が接着される際、インクリボン３０およびテープ４２は巻取部２４のロール面に沿って湾曲する。しかしながら、図２（ｂ）および図２（ｂ）以降の図においては、便宜上、湾曲状態を無視してインクリボン３０およびテープ４２が描かれている。
【００２５】
図２（ａ）（ｂ）に示すように、インク転移済みのインクリボン３０は、基材層３５とインク層３６とからなる。このうちインク層３６は、図２（ｂ）に示すように、カード１５に転移されずに残留しているインクからなるインク残留部分３６ａと、カード１５に印字されたＩＤ情報に対応するインク抜け部分３６ｂとからなる。この場合、ＩＤ情報としてカード１５に例えば「ＡＺ」という文字が印字されており、このため、図２（ｂ）に示すように、インク抜け部分３６ｂは「ＡＺ」に対応したパターンを有している。
【００２６】
図２（ａ）に示すように、巻取部２４には、インク転移済みのインクリボン３０とともに、テープ供給部４１から供給されるテープ４２が巻きつけられる。このため、図２（ａ）に示すように、巻取部２４がＲ２方向に回転するとき、インクリボン３０のインク層３６側に、テープ供給部４１からのテープ４２が接着される。このとき、好ましくは、テープ４２がインクリボン３０の中心線３１を挟んで対称となるよう、テープ４２がインクリボン３０に接着される（図２（ｂ）参照）。
なお図２（ａ）（ｂ）および図２（ａ）（ｂ）以降の図において、テープ４２の両側の面のうち、インク転移済みのインクリボン３０のインク層３６に接着される側の面が符号４２ａにより表され、面４２ａの反対側の面が符号４２ｂにより表されている。
【００２７】
図２（ｂ）に示すように、テープ４２の幅Ｌ２は、インクリボン３０の幅Ｌ１と略同一になるよう定められている。しかしながら、これに限られることはなく、テープ４２の幅Ｌ２は、少なくともインクリボン３０のインク層３６のインク抜け部分３６ｂを覆うことができる程度の幅を有していればよい。これによって、後述するように、インク層３６のインク抜け部分３６ｂからカード１５に印字されたＩＤ情報が特定されるのを防ぐことができる。
【００２８】
次に図３（ａ）（ｂ）を参照して、テープ４２の構造について詳細に説明する。図３（ａ）は、テープ４２を示す断面図であり、図３（ｂ）は、テープ４２を示す斜視図である。図３（ａ）に示すように、テープ４２は、テープ基材５２と、テープ基材５２のうちインクリボン３０のインク層３６に接する側に設けられた接着層５３とを有している。このうちテープ基材５２は、図３（ａ）（ｂ）に示すように、基材部５２ａと、基材部５２ａ間に所定パターンで配置された複数の開口部５２ｂとからなっており、このため、テープ基材５２は所定の幾何学パターンを有している。テープ基材５２の開口部５２ｂは、例えば、基材部５２ａを所定形状の型によって打ち抜くことにより形成される。
【００２９】
なお本実施の形態において、図２（ａ）に示すように、インク転移済みのインクリボン３０は、インク層３６が基材層３５よりも外側に位置するよう巻取部２４に巻きつけられる。従って、「テープ基材のうちインクリボンのインク層に接する側に設けられた接着層」とは、巻取部２４に巻き取られた状態のテープ基材の両側（外側および内側）のうち、内側（巻取部２４の中心側）に接着層が設けられることを意味している。
なお図示はしないが、インク転移済みのインクリボン３０が、インク層３６が基材層３５よりも内側に位置するよう巻取部２４に巻きつけられる場合も考えられる。この場合、「テープ基材のうちインクリボンのインク層に接する側に設けられた接着層」とは、巻取部２４に巻き取られた状態のテープ基材の外側に接着層が設けられることを意味している。
【００３０】
またテープ基材５２の基材部５２ａは、インクリボン３０のインク層３６のインク残留部分３６ａと同一の色からなっている。ここで、「テープ基材５２の基材部５２ａがインク層３６のインク残留部分３６ａと同一の色からなっている」とは、テープ基材５２の基材部５２ａとインク層３６のインク残留部分３６ａとを隙間無く隣接させ、これらを観察した場合に、テープ基材５２の基材部５２ａとインク層３６のインク残留部分３６ａとの間の境界線が肉眼では判別不可能な程度に、基材部５２ａの色とインク残留部分３６ａの色とが似通っていることを意味している。
【００３１】
またテープ４２の接着層５３は、透明な接着材料から形成されている。ここで「透明」とは、テープ４２のテープ基材５２を直接視認した場合と、テープ４２のテープ基材５２を接着層５３を介して視認した場合とで、認識されるテープ基材５２の色が略同一であることを意味している。
【００３２】
次に、接着層５３により実現される密着力について説明する。好ましくは、インクリボン３０のインク層３６とテープ４２との間の密着力が、インクリボン３０のインク層３６と基材層３５との間の密着力よりも大きくなるよう、テープ４２の接着層５３が構成されている。すなわち、このような密着力を実現するよう、接着層５３を形成する接着材料が選択されている。
なお図示はしないが、テープ供給部４１に巻きつけられている状態のテープ４２が互いに接着されるのを防ぐため、テープ４２の接着層５３に剥離紙が設けられていてもよい。このような剥離紙は、テープ４２が巻取部２４に巻きつけられる前に、剥離紙巻取軸（図示せず）により取り除かれる。
【００３３】
次に、このような構成からなる本実施の形態の作用について説明する。ここでは、はじめに、インクリボン３０を用いてＩＤ情報をカード１５に印字し、次に、インク転移済みのインクリボン３０にテープ４２を接着する作用について説明する。
【００３４】
まずカード１５を準備し、次に、カード１５を印字部１２に向けて搬送する。一方、インクリボンカセット２０においては、図１に示すように、送出部２３から巻取部２４に向かってインクリボン３０が、適度なテンションがかけられた状態で送られている。
【００３５】
カード１５が印字部１２の印字ヘッド１３とプラテンロール１４との間に到達すると、印字ヘッド１３がインクリボン３０を、ＩＤ情報に対応する所定パターンで加熱しながらカード１５に対して押し付ける。これによって、インクリボン３０のインクが所定パターンでカード１５上に転移される。このことにより、カード１５上にＩＤ情報が印字されるとともに、インクリボン３０のインク層３６に、ＩＤ情報に対応したインク抜け部分３６ｂが形成される。
【００３６】
印字部１２を経た後のインク転移済みのインクリボン３０は、巻取部２４により巻き取られる。一方、巻取部２４にはテープ供給部４１から供給されるテープ４２も巻き取られている。このため、図２（ａ）（ｂ）に示すように、インクリボン３０のインク層３６側に、テープ供給部４１からのテープ４２が接着される。以下、テープ４２が接着されたインクリボン３０について、図４（ａ）（ｂ）（ｃ）を参照して説明する。
【００３７】
図４（ａ）は、テープ４２が接着されたインクリボン３０をテープ４２の面４２ｂ側から見た場合を示す平面図であり、図４（ｂ）は、図４（ａ）に示すテープ４２が接着されたインクリボン３０のIV−IV線に沿った断面を示す図である。図４（ｃ）は、図４（ａ）に示すテープ４２が接着されたインクリボン３０から、基材層３５が剥離された状態を示す断面図である。
【００３８】
上述のように、テープ基材５２の基材部５２ａは、インクリボン３０のインク層３６のインク残留部分３６ａと同一の色からなっている。また接着層５３は、透明な接着材料から形成されている。このため、インク転移済みのインクリボン３０を観察した場合、インク層３６のインク抜け部分３６ｂのうちテープ４２のテープ基材５２の基材部５２ａと重なっている領域（図４（ａ）において符号３６ｂで示される領域のうち点線内に位置する領域）が、インク層３６のインク残留部分３６ａと同一の色を有する領域として視認される。このため、インク層３６のインク抜け部分３６ｂのうちテープ基材５２の基材部５２ａと重なっている領域と、インク層３６のインク残留部分３６ａとを区別することができない。
【００３９】
従って、インク層３６のインク抜け部分３６ｂのうち外部から視認され得る領域は、テープ基材５２の開口部５２ｂと重なっている領域（図４（ａ）において符号３６ｂで示される領域のうち実線内に位置する領域）のみとなっている。図４（ａ）から明らかなように、インク層３６のインク抜け部分３６ｂのうちテープ基材５２の開口部５２ｂと重なっている領域に関する情報のみに基づいて、インク層３６のインク抜け部分３６ｂ全体の形状を推測することは困難である。すなわち本実施の形態によれば、インク転移済みのインクリボン３０が外部から観察された場合に、インク層３６のインク抜け部分３６ｂ全体の形状が視認されるのを防ぐことができ、このことにより、カード１５に印字されたＩＤ情報が特定されるのを防ぐことができる。
【００４０】
次に、インク転移済みのインクリボン３０からテープ４２が剥離された場合について考える。上述のように、インクリボン３０のインク層３６とテープ４２との間の密着力が、インクリボン３０のインク層３６と基材層３５との間の密着力よりも大きくなるよう、テープ４２の接着層５３が構成されている。このため図４（ｃ）に示すように、インク転移済みのインクリボン３０からテープ４２が剥離された場合、インク層３６のインク残留部分３６ａがテープ４２側に残る。
【００４１】
図４（ｃ）に示すインク層３６付きのテープ４２に光を透過させた場合、光の透過パターンが以下の４通りに分類される。すなわち、基材部５２ａと接着層５３とからなる第１領域５５ａを透過するパターン、接着層５３からなる第２領域５５ｂを透過するパターン、基材部５２ａと接着層５３とインク残留部分３６ａとからなる第３領域５５ｃを透過するパターン、および、接着層５３とインク残留部分３６ａとからなる第４領域５５ｄを透過するパターンの４通りである。
【００４２】
図４（ｃ）に示すインク層３６付きのテープ４２に光を透過させた場合に、光がインク抜け部分３６ｂを通るパターンは、上述の４パターンのうち、第１領域５５ａを透過するパターンおよび第２領域５５ｂを透過するパターンの２通りである。一方、光がインク残留部分３６ａを通るパターンは、上述の４パターンのうち、第３領域５５ｃを透過するパターンおよび第４領域５５ｄを透過するパターンの２通りである。このように本実施の形態によれば、光がインク抜け部分３６ｂを通るパターンと、光がインク残留部分３６ａを通るパターンとが、それぞれ２通りに分類される。このため、透過光に基づいてインク層３６のインク抜け部分３６ｂの形状が認識されるのを防ぐことができる。
【００４３】
比較の形態
次に、図５（ａ）〜（ｃ）を参照して、第１の実施の形態の効果を比較の形態と比較して説明する。図５（ａ）〜（ｃ）は、比較の形態を示す図であり、第１の実施の形態における図４（ａ）〜（ｃ）に対応する図である。
【００４４】
図４（ａ）〜（ｃ）に示す比較の形態は、テープ基材５２に開口部が設けられていない点が異なるのみであり、他の構成は、図１乃至図４（ａ）〜（ｃ）に示す第１の形態と略同一である。図５（ａ）〜（ｃ）に示す比較の形態において、図１乃至図４（ａ）〜（ｃ）に示す第１の実施の形態と同一部分には同一符号を付して詳細な説明は省略する。
【００４５】
上述のように比較の形態において、テープ１００のテープ基材５２には開口部が設けられていない。従って、テープ基材５２は全て基材部５２ａからなっている。このため、図５（ｂ）に示すように、インク層３６のインク抜け部分３６ｂが全て、テープ基材５２の基材部５２ａと重なっている。このため、インク抜け部分３６ｂが全て、インク残留部分３６ａと同一の色を有する領域として視認される。このことにより、インク層３６のインク抜け部分３６ｂの形状が視認されるのが防がれている。
【００４６】
次に、比較の形態において、インク転移済みのインクリボン３０からテープ１００が剥離された場合について考える。
【００４７】
図５（ｃ）に示すインク層３６付きのテープ１００に光を透過させた場合、光の透過パターンが以下の２通りに分類される。すなわら、基材部５２ａと接着層５３とからなる第１領域５５ａを透過するパターン、および、基材部５２ａと接着層５３とインク残留部分３６ａとからなる第3領域５５ｃを透過するパターンの２通りである。
【００４８】
図５（ｃ）に示すインク層３６付きのテープ１００に光を透過させた場合に、光がインク抜け部分３６ｂを通るパターンは、第１領域５５ａを透過するパターンの１通りのみとなっている。一方、光がインク残留部分３６ａを通るパターンも、第３領域５５ｃを透過するパターンの１通りのみとなっている。
上述のように、基材部５２ａはインク残留部分３６ａと同一の色からなっており、また接着層５３は透明な接着材料から形成されている。このため、第１領域５５ａを透過した光の色は、第３領域５５ｃを透過した光の色と同一となっている。
しかしながら、図５（ｃ）から明らかなように、第１領域５５ａは、第３領域５５ｃに比べて、インク残留部分３６ａの分だけ薄くなっている。このため、第１領域５５ａにおける光の透過率は、第３領域５５ｃにおける光の透過率に比べて、インク残留部分３６ａの分だけ異なっている。このため、第１領域５５ａを透過した光と第３領域５５ｃを透過した光とを比較した場合、透過率の差に起因して、濃淡の差がわずかに表れることが考えられる。従って、第１領域５５ａを透過した光と第３領域５５ｃを透過した光とが区別され得る。
【００４９】
比較の形態においては、上述のように、光がインク抜け部分３６ｂを通るパターンが、第１領域５５ａを透過するパターンの１通りのみとなっている。このため、透過光の濃淡の差に基づいて、インク抜け部分３６ｂの形状が認識され得る。比較の形態においては、このようにして、インク転移済みのインクリボン３０から、カード１５に印字されたＩＤ情報が特定されることが考えられる。
【００５０】
これに対して、本発明の第１の実施の形態によれば、上述のように、インク層３６付きのテープ４２に光を透過させた場合に、光がインク抜け部分３６ｂを通るパターンが、第１領域５５ａまたは第２領域５５ｂを透過するパターンの２通りからなっている。また、光がインク残留部分３６ａを通るパターンも、第３領域５５ｃまたは第４領域５５ｄを透過するパターンの２通りからなっている。このため、光の透過率の差に起因して、インク抜け部分３６ｂの形状が認識されることはない。このことにより、インク転移済みのインクリボン３０からカード１５に印字されたＩＤ情報が特定されるのを、より堅固に防ぐことができる。
【００５１】
第２の実施の形態
次に図６乃至図８を参照して、本発明の第２の実施の形態について説明する。図６（ａ）は、本発明の第２の実施の形態におけるテープを示す断面図であり、図６（ｂ）は、本発明の第２の実施の形態におけるテープを示す斜視図である。図７（ａ）は、本発明の第２の実施の形態において、テープが接着されたインクリボンを示す平面図であり、図７（ｂ）は、図７（ａ）に示すテープが接着されたインクリボンのVII−VII線に沿った断面図である。図８（ａ）は、本発明の第２の実施の形態において、インクリボンから剥離されたテープを示す断面図であり、図８（ｂ）は、テープから剥離されたインクリボンを示す断面図であり、図８（ｃ）は、テープから剥離されたインクリボンを示す平面図である。
【００５２】
図６乃至図８に示す第２の実施の形態は、テープ供給部から供給されるテープの接着層が、インクリボンのインク層と同一の色からなるとともに、所定の幾何学パターンを有する点が異なるのみであり、その他の構成は、図１乃至図４に示す第１の実施の形態と略同一である。図６乃至図８に示す第２の実施の形態において、図１乃至図４に示す第１の実施の形態と同一部分には同一符号を付して詳細な説明は省略する。
【００５３】
はじめに、図６（ａ）（ｂ）を参照して、本実施の形態におけるテープ４２の構造について説明する。図６（ａ）に示すように、テープ４２は、テープ基材６２と、テープ基材６２のうちインクリボン３０のインク層３６に接する側に設けられた接着層６３とを有している。このうち接着層６３は、図６（ａ）（ｂ）に示すように、接着剤６３ａと、接着剤６３ａ間に所定パターンで配置された複数の開口部６３ｂとからなっており、このため、接着層６３は所定の幾何学パターンを有している。
【００５４】
また接着層６３の接着剤６３ａは、インクリボン３０のインク層３６のインク残留部分３６ａと同一の色からなっている。ここで「同一の色」とは、第１の実施の形態における基材部５２ａの場合と同様に、接着剤６３ａとインク残留部分３６ａとを隙間無く隣接させ、これらを観察した場合に、接着剤６３ａとインク残留部分３６ａとの間の境界線が肉眼では判別不可能な程度に、接着剤６３ａの色とインク残留部分３６ａの色とが似通っていることを意味している。
【００５５】
また上述の第１の実施の形態の場合と同様に、インクリボン３０のインク層３６とテープ４２との間の密着力が、インクリボン３０のインク層３６と基材層３５との間の密着力よりも大きくなるよう、テープ４２の接着層６３の接着剤６３ａが構成されている
【００５６】
テープ４２のテープ基材６２を形成する材料が特に限られることはなく、一般的なテープにおいて接着剤を保持するために使用される周知の材料が用いられる。本実施の形態においては、テープ基材６２を形成する材料として、例えば透明な材料が用いられている。
【００５７】
次に、このような構成からなる本実施の形態の作用について説明する。なおインクリボン３０を用いてＩＤ情報をカード１５に印字する作用は、第１の実施の形態の場合と同様であるので、説明は省略する。ここでは、インク転移済みのインクリボン３０にテープ４２を接着することによる作用について説明する。
【００５８】
上述のように、接着層６３の接着剤６３ａは、インクリボン３０のインク層３６のインク残留部分３６ａと同一の色からなっている。このため、インク転移済みのインクリボン３０を面４２ｂ側から観察した場合、インク層３６のインク抜け部分３６ｂのうちテープ４２の接着層６３の接着剤６３ａと重なっている領域（図７（ａ）において符号３６ｂで示される領域のうち点線内に位置する領域）が、インク層３６のインク残留部分３６ａと同一の色を有する領域として視認される。このため、インク層３６のインク抜け部分３６ｂのうち接着層６３の接着剤６３ａと重なっている領域と、インク層３６のインク残留部分３６ａとを区別することができない。
【００５９】
従って、図１乃至図４に示す第１の実施の形態の場合と同様に、インク層３６のインク抜け部分３６ｂのうち外部から視認され得る領域は、接着層６３の開口部６３ｂと重なつている領域（図７（ａ）において符号３６ｂで示される領域のうち実線内に位置する領域）のみとなっている。このため、インク転移済みのインクリボン３０が外部から観察された場合に、インク層３６のインク抜け部分３６ｂ全体の形状が視認されるのを防ぐことができ、このことにより、カード１５に印字されたＩＤ情報が特定されるのを防ぐことができる。
【００６０】
次に、インク転移済みのインクリボン３０からテープ４２が剥離された場合について考える。上述のように、インクリボン３０のインク層３６とテープ４２との間の密着力が、インクリボン３０のインク層３６と基材層３５との間の密着力よりも大きくなるよう、テープ４２の接着層６３が構成されている。このため、インク転移済みのインクリボン３０からテープ４２が剥離された場合、図８（ａ）に示すように、インク層３６のインク残留部分３６ａのうち、接着層６３の接着剤６３ａに対応する部分（接着剤６３ａに接着されている部分）はテープ４２側に残る。一方、図８（ｂ）に示すように、インク層３６のインク残留部分３６ａのうち、接着層６３の開口部６３ｂに対応する部分（接着剤６３ａに接着されていない部分）は基材層３５側に残る。
【００６１】
図８（ｃ）は、基材層３５側に残ったインク残留部分３６ａを上方から見た場合を示す図である。図８（ｃ）に示すように、この場合、インク層３６のインク残留部分３６ａが、テープ４２の接着層６３の幾何学パターンに応じて取り除かれている。このため、ＩＤ情報に対応して形成されていたインク抜け部分３６ｂのパターンが、テープ４２の接着層６３の幾何学パターンに応じて破壊されている。このことにより、インク層３６のインク抜け部分３６ｂからカード１５に印字されたＩＤ情報が特定されるのを防ぐことができる。
【００６２】
また、テープ４２側に残ったインク残留部分３６ａについても、基材層３５側に残ったインク残留部分３６ａの場合と同様に、ＩＤ情報に対応して形成されていたインク抜け部分３６ｂのパターンが、テープ４２の接着層６３の幾何学パターンに応じて破壊されている。また、テープ４２側に残ったインク残留部分３６ａにおいては、接着剤６３ａとインク残留部分３６ａとが同一の色からなっている。このため、テープ４２を面４２ａ側から見た場合、接着層６３の幾何学パターンのみが視認される。すなわち、破壊されているインク抜け部分３６ｂのパターンが視認されることはない。このことにより、カード１５に印字されたＩＤ情報が特定されるのをさらに強固に防ぐことができる。
【００６３】
なお本実施の形態において、テープ基材６２が透明な材料から形成されている例を示した。しかしながら、これに限られることはなく、テープ基材６２を、遮光性を有する材料によって形成してもよい。これによって、インク層３６のインク抜け部分３６ｂからカード１５に印字されたＩＤ情報が特定されるのをより強固に防ぐことができる。
【００６４】
また本発明の第１および第２の実施の形態において、テープのテープ基材または接着層のどちらか一方のみが、所定の幾何学パターンを有する例を示した。しかしながら、これに限られることはなく、テープのテープ基材および接着層のいずれもが、所定の幾何学パターンを有していてもよい。この場合、テープ基材および接着層が同一の幾何学パターンを有していてもよく、若しくは、テープ基材および接着層がそれぞれ異なる幾何学パターンを有していてもよい。テープ基材および接着層が同一の幾何学パターンを有している場合、そのような幾何学パターンは、例えば、テープ基材および接着層を所定形状の型によってともに打ち抜くことにより形成される。
【００６５】
第３の実施の形態
次に図９および図１０を参照して、本発明の第３の実施の形態について説明する。図９（ａ）は、本発明の第３の実施の形態におけるテープを示す断面図であり、図９（ｂ）は、本発明の第３の実施の形態におけるテープを示す斜視図である。図１０（ａ）は、本発明の第３の実施の形態において、テープが接着されたインクリボンを示す断面図であり、図１０（ｂ）は、テープから剥離されたインクリボンを示す断面図であり、図１０（ｃ）は、テープから剥離されたインクリボンを示す平面図である。
【００６６】
図９および図１０に示す第３の実施の形態は、テープ供給部から供給されるテープが、テープ基材と、当該テープ基材の両側に設けられた接着層とを有し、接着層のうちインクリボンのインク層に接する側の接着層が、所定の幾何学パターンを有する点が異なるのみであり、その他の構成は、図１乃至図４に示す第１の実施の形態と略同一である。図９および図１０に示す第３の実施の形態において、図１乃至図４に示す第１の実施の形態と同一部分には同一符号を付して詳細な説明は省略する。
【００６７】
はじめに、図９（ａ）（ｂ）を参照して、本実施の形態におけるテープ４２の構造について説明する。図９（ａ）に示すように、テープ４２は、テープ基材７２と、テープ基材７２の両側に設けられた第１接着層７３および第２接着層７４と、を有している。このうち第１接着層７３が、テープ基材７２のうちインクリボン３０のインク層３６に接する側に設けられている。具体的には、図２に示すようにインク層３６が基材層３５よりも外側に位置するよう巻取部２４にインクリボン３０が巻きつけられる場合、第１接着層７３がテープ基材７２よりも内側に位置しており、一方、第２接着層７４がテープ基材７２よりも外側に位置している（図９（ａ）参照）。
【００６８】
テープ基材７２の内側に設けられている第１接着層７３は、図６乃至図８に示す第２の実施の形態における接着層６３の場合と同様に、接着剤７３ａと、接着剤７３ａ間に所定パターンで配置された複数の開口部７３ｂとからなっており、このため、第１接着層７３は所定の幾何学パターンを有している（図９（ａ）（ｂ）参照）。
【００６９】
また上述の第１および第２の実施の形態の場合と同様に、インクリボン３０のインク層３６とテープ４２との間の密着力が、インクリボン３０のインク層３６と基材層３５との間の密着力よりも大きくなるよう、テープ４２の第１接着層７３の接着剤７３ａが構成されている。
【００７０】
テープ４２のテープ基材７２を形成する材料が特に限られることはなく、一般的なテープにおいて接着剤を保持するために使用される周知の材料が用いられる。本実施の形態においては、テープ基材７２を形成する材料として、例えば透明な材料が用いられている。
【００７１】
次に、このような構成からなる本実施の形態の作用について説明する。なおインクリボン３０を用いてＩＤ情報をカード１５に印字する作用は、第１の実施の形態の場合と同様であるので、説明は省略する。ここでは、インク転移済みのインクリボン３０にテープ４２を接着することによる作用について説明する。
【００７２】
はじめに、インク転移済みのインクリボン３０が巻取部２４に巻き取られる。このインクリボン３０は、この後に巻取部２４に巻き取られるインクリボンよりも内側（巻取部２４の中心側）に位置する。従って、以下の記述において、先に巻取部２４に巻き取られるインクリボンが、内側のインクリボン３０Ａと称されている（図１０（ａ）参照）。
【００７３】
次に、テープ供給部４１からのテープ４２が巻取部２４によって巻き取られ、これによって、図１０（ａ）に示すように、テープ４２が内側のインクリボン３０Ａ上に巻きつけられる。当該テープは、この後に巻取部２４に巻き取られるテープよりも内側に位置する。従って、以下の記述において、内側のインクリボン３０Ａ上に巻きつけられるテープが、内側のテープ４２Ａと称されている。
内側のテープ４２Ａのテープ基材７２の内側の面には第１接着層７３が設けられており、このため、内側のテープ４２Ａと内側のインクリボン３０Ａとが第１接着層７３により接着される。
【００７４】
その後、内側のテープ４２Ａ上に、さらにインクリボン３０が巻きつけられる。以下の記述において、内側のテープ４２Ａ上に巻きつけられるインクリボンが、外側のインクリボン３０Ｂと称されている。
内側のテープ４２Ａのテープ基材７２の外側には第２接着層７４が設けられており、このため、内側のテープ４２Ａと外側のインクリボン３０Ｂとが第２接着層７４により接着される。
【００７５】
なお本実施の形態において、好ましくは、内側のテープ４２Ａと外側のインクリボン３０Ｂの基材層３５との間の密着力が、内側のインクリボン３０Ａのインク層３６と基材層３５との間の密着力よりも大きくなるよう、内側のテープ４２Ａの第２接着層７４が構成されている。すなわち、このような密着力を実現するよう、第２接着層７４を形成する接着材料が選択されている。このため、後述するように、テープ４２の接着層７３，７４により固められたインクリボン３０の巻回体が分解される場合、外側のインクリボン３０Ｂが内側のテープ４２Ａから剥離されるよりも前に、内側のインクリボン３０Ａのインク層３６が基材層３５から剥離される。
【００７６】
次に、外側のインクリボン３０Ｂ上に、さらにテープ４２が巻きつけられる。以下の記述において、外側のインクリボン３０Ｂ上に巻きつけられるテープが、外側のテープ４２Ｂと称されている。
外側のテープ４２Ｂのテープ基材７２の内側には第１接着層７３が設けられており、このため、外側のテープ４２Ｂと外側のインクリボン３０Ｂとが第１接着層７３により接着される。
【００７７】
この後も、巻取部２４には、インクリボン３０とテープ４２とが順次巻き取られていく。この場合、テープ４２のテープ基材７２には、その両側に第１接着層７３および第２接着層７４が設けられており、このため、巻取部２４に巻き取られたインクリボン３０が、その内側および外側の両側においてテープ４２に接着される。このため、巻取部２４には、テープ４２の接着層７３，７４により固められたインクリボン３０の巻回体が形成される。これによって、インク転移済みのインクリボン３０のインク層３６のインク抜け部分３６ｂが視認されるのを防ぐことができ、このことにより、カード１５に印字されたＩＤ情報が特定されるのを防ぐことができる。
【００７８】
次に、テープ４２の接着層７３，７４により固められたインクリボン３０の巻回体が、何らかの手段によって分解された場合について考える。
本実施の形態においては、内側のインクリボン３０Ａのインク層３６と内側のテープ４２Ａとの間の密着力が、内側のインクリボン３０Ａのインク層３６と基材層３５との間の密着力よりも大きくなるよう、内側のテープ４２Ａの第１接着層７３が構成されている。さらに、内側のテープ４２Ａと外側のインクリボン３０Ｂの基材層３５との間の密着力が、内側のインクリボン３０Ａのインク層３６と基材層３５との間の密着力よりも大きくなるよう、内側のテープ４２Ａの第２接着層７４が構成されている。このため、インクリボン３０の巻回体が分解された場合、内側のインクリボン３０Ａのインク層３６のインク残留部分３６ａのうち、第１接着層７３の接着剤７３ａに対応する部分（接着剤６３ａに接着されている部分）は内側のテープ４２Ａ側に残る。一方、内側のインクリボン３０Ａのインク層３６のインク残留部分３６ａのうち、第１接着層７３の開口部７３ｂに対応する部分（接着剤７３ａに接着されていない部分）は基材層３５側に残る（図１０（ｂ）参照）。
【００７９】
図１０（ｃ）は、内側のインクリボン３０Ａの基材層３５側に残ったインク残留部分３６ａを上方から見た場合を示す図である。図１０（ｃ）に示すように、この場合、インク層３６のインク残留部分３６ａが、内側のテープ４２Ａの第１接着層７３の幾何学パターンに応じて取り除かれている。このため、ＩＤ情報に対応して形成されていたインク抜け部分３６ｂのパターンが、第１接着層７３の幾何学パターンに応じて破壊されている。このことにより、インク層３６のインク抜け部分３６ｂからカード１５に印字されたＩＤ情報が特定されるのを防ぐことができる。
【００８０】
また、内側のテープ４２Ａ側に残ったインク残留部分３６ａについても、内側のインクリボン３０Ａの基材層３５側に残ったインク残留部分３６ａの場合と同様に、ＩＤ情報に対応して形成されていたインク抜け部分３６ｂのパターンが、第１接着層７３の幾何学パターンに応じて破壊されている。このことにより、インク層３６のインク抜け部分３６ｂからカード１５に印字されたＩＤ情報が特定されるのを防ぐことができる。
【００８１】
なお本実施の形態において、テープ基材７２が透明な材料から形成されている例を示した。しかしながら、これに限られることはなく、テープ基材７２を、遮光性を有する材料によって形成してもよい。これによって、インク層３６のインク抜け部分３６ｂからカード１５に印字されたＩＤ情報が特定されるのをより強固に防ぐことができる。
【００８２】
また本実施の形態において、テープ基材７２の内側に設けられた第１接着層７３のみが、所定の幾何学パターンを有する例を示した。しかしながら、これに限られることはなく、テープ基材７２、およびテープ基材の外側に設けられた第２接着層７４のいずれもが、所定の幾何学パターンを有していてもよい。この場合、テープ基材７２および接着層７３，７４が同一の幾何学パターンを有していてもよく、若しくは、テープ基材７２および接着層７３，７４がそれぞれ異なる幾何学パターンを有していてもよい。テープ基材７２および接着層７３，７４が同一の幾何学パターンを有している場合、そのような幾何学パターンは、例えば、所定形状の型によって所定パターンでテープ基材７２および接着層７３，７４をともに打ち抜くことにより形成される。
【００８３】
また本発明の第１乃至第３の実施の形態において、テープ４２のテープ基材または接着層に、所定パターンで配置された複数の開口部が設けられており、これによって、テープ基材または接着層が所定の幾何学パターンを有する例を示した。この場合、開口部の形状が、図に示すような楕円形に限られることはなく、多角形、雲形など、様々な形状を有する開口部を設けることができる。また、複数の開口部を配置するパターンが、図に示すような規則的な配置パターンに限られることはなく、複数の開口部が不規則なパターンで配置されていてもよい。
【００８４】
第４の実施の形態
次に図１１および図１２を参照して、本発明の第４の実施の形態について説明する。図１１は、本発明の第４の実施の形態におけるテープを示す断面図である。図１２（ａ）は、本発明の第４の実施の形態において、テープが接着されたインクリボンを示す平面図であり、図１２（ｂ）は、図１２（ａ）に示すテープが接着されたインクリボンのXII−XII線に沿った断面図であり、図１２（ｃ）は、図１２（ｂ）に示すテープが接着されたインクリボンからインクリボンの基材層を剥離した場合を示す断面図である。
【００８５】
図１１および図１２に示す第４の実施の形態は、テープ供給部から供給されるテープが、テープ基材と、当該テープ基材のうち前記インクリボンのインク層に接する側に設けられた接着層とを有し、テープ基材が、光を遮蔽する遮光層を含み、接着層が、インクリボンのインク層と同一の色からなる点が異なるのみであり、その他の構成は、図１乃至図４に示す第１の実施の形態と略同一である。図１１および図１２に示す第４の実施の形態において、図１乃至図４に示す第１の実施の形態と同一部分には同一符号を付して詳細な説明は省略する。
【００８６】
はじめに、図１１を参照して、本実施の形態におけるテープ４２の構造について説明する。図１１に示すように、テープ４２は、テープ基材８２と、テープ基材８２のうちインクリボン３０のインク層３６に接する側に設けられた接着層８３と、を有している。このうちテープ基材８２は、光を遮蔽する遮光層８２ａを含んでいる。テープ基材８２内に遮光層８２ａを形成する方法が特に限られることはなく、例えばテープ基材８２内に遮光性粒子を分散させることにより遮光層８２ａを形成することができる。例えば、いわゆる銀テープの場合と同様に、銀または銀合金の粒子をテープ基材８２内に分散させることにより、テープ基材８２に遮光性を持たせることができる。
【００８７】
また接着層８３は、インクリボン３０のインク層３６のインク残留部分３６ａと同一の色からなっている。ここで「同一の色」とは、第１の実施の形態における基材部５２ａの場合と同様に、接着層８３とインク残留部分３６ａとを隣接させ、これらを観察した場合に、接着層８３とインク残留部分３６ａとの間の境界線が肉眼では判別不可能な程度に、接着層８３の色とインク残留部分３６ａの色とが似通っていることを意味している。
【００８８】
また上述の第１の実施の形態の場合と同様に、インクリボン３０のインク層３６とテープ４２との間の密着力が、インクリボン３０のインク層３６と基材層３５との間の密着力よりも大きくなるよう、テープ４２の接着層８３の接着剤が構成されている。
【００８９】
次に、このような構成からなる本実施の形態の作用について説明する。なおインクリボン３０を用いてＩＤ情報をカード１５に印字する作用は、第１の実施の形態の場合と同様であるので、説明は省略する。ここでは、インク転移済みのインクリボン３０にテープ４２を接着することによる作用について説明する。
【００９０】
上述のように、テープ基材８２は、光を遮蔽する遮光層８２ａを含んでいる。このため、インク転移済みのインクリボン３０をテープの面４２ｂ側から観察した場合、インク層３６のインク抜け部分３６ｂが視認されることはない（図１２（ａ）（ｂ）参照）。このことにより、インク層３６のインク抜け部分３６ｂからカード１５に印字されたＩＤ情報が特定されるのを防ぐことができる。
【００９１】
次に、インク転移済みのインクリボン３０からテープ４２が剥離された場合について考える。上述のように、インクリボン３０のインク層３６とテープ４２との間の密着力が、インクリボン３０のインク層３６と基材層３５との間の密着力よりも大きくなるよう、テープ４２の接着層８３が構成されている。このため、インク転移済みのインクリボン３０からテープ４２が剥離された場合、図１２（ｃ）に示すように、インク層３６のインク残留部分３６ａがテープ４２側に残る。
【００９２】
上述のように、接着層８３は、インクリボン３０のインク層３６のインク残留部分３６ａと同一の色からなっている。このため、インク転移済みのインクリボン３０をテープ４２の面４２ａ側から観察した場合、インク層３６のインク抜け部分３６ｂが、インク層３６のインク残留部分３６ａと同一の色を有する領域として視認される。このため、インク層３６のインク抜け部分３６ｂの形状が視認されるのを防ぐことができ、このことにより、カード１５に印字されたＩＤ情報が特定されるのを防ぐことができる。
【００９３】
また、図５に示す上述の比較の形態の場合とは異なり、テープ基材８２が、光を遮蔽する遮光層８２ａを含んでいる。このため、透過光の濃淡のわずかな差に基づいて、インク抜け部分３６ｂの形状が認識されることもない。このことにより、インク転移済みのインクリボン３０からカード１５に印字されたＩＤ情報が特定されるのを、より堅固に防ぐことができる。
【００９４】
なお本発明の第１、第２および第４の実施の形態において、テープ基材の片側にのみ接着層が設けられている例を示した。しかしながら、これに限られることはなく、本発明の第１、第２および第４の実施の形態においても、本発明の第３の実施の形態の場合と同様に、テープ基材の両側に接着層を設けてもよい。このことにより、テープの接着層により固められたインクリボンの巻回体を形成することができ、これによって、インクリボンのインク抜け部分の形状が視認されるのをより堅固に防ぐことができる。このため、インク転移済みのインクリボン３０からカード１５に印字されたＩＤ情報が特定されるのを、より堅固に防ぐことができる。
【符号の説明】
【００９５】
１２    印字部
１３    印字ヘッド
１４    プラテンロール
１５    カード
２０    インクリボンカセット
２１    ケース
２３    巻出部
２４    巻取部
２５ａ  ガイドロール
２５ｂ  ガイドロール
３０    インクリボン
３０Ａ  内側のインクリボン
３０Ｂ  外側のインクリボン
３１    中心軸
３５    基材層
３６    インク層
３６ａ  インク残留部分
３６ｂ  インク抜け部分
４１    テープ供給部
４２    テープ
４２Ａ  内側のテープ
４２Ｂ  外側のテープ
４２ａ  インクリボンのインク層側の面
４２ｂ  インクリボンのインク層側の面の反対側にある面
５２    テープ基材
５２ａ  基材部
５２ｂ  開口部
５３    接着層
５５ａ  第１領域
５５ｂ  第２領域
５５ｃ  第３領域
５５ｄ  第４領域
６２    テープ基材
６３    接着層
６３ａ  接着剤
６３ｂ  開口部
７２    テープ基材
７３    第１接着層
７３ａ  接着剤
７３ｂ  開口部
７４    第２接着層
８２    テープ基材
８２ａ  遮光層
８３    接着層
１００  テープ
【図１】
2011183598.tif 000003
【図２】
2011183598.tif 000004
【図３】
2011183598.tif 000005
【図４】
2011183598.tif 000006
【図５】
2011183598.tif 000007
【図６】
2011183598.tif 000008
【図７】
2011183598.tif 000009
【図８】
2011183598.tif 000010
【図９】
2011183598.tif 000011
【図１０】
2011183598.tif 000012
【図１１】
2011183598.tif 000013
【図１２】
2011183598.tif 000014